(57)【要約】【課題】ＩＰ電話を新規にインターネット接続したり、別の場所（プライベートネットワーク内を含む。）に移動させた場合にも、即、ＩＰ電話サービスを提供することを目的とする。【解決手段】インターネット電話装置及び電話機からなるＩＰ電話は、インターネットへ接続されると同時に、自己の装置番号をインターネット番号管理サーバーＳに登録要求する。インターネット番号管理サーバーＳは、ＩＰ電話のＩＰアドレス及びポート番号、装置番号、電話番号を管理し、インターネット電話装置に番号を送信する。インターネット電話装置は、インターネットへの接続状況を常時監視し、オフラインになった場合、再度、インターネット番号管理サーバーＳに登録要求する。インターネット番号管理サーバーＳは、装置番号及び電話番号をＩＰアドレス及びポート番号に変換する。【選択図】  図１
2004336281.tif 000002
【特許請求の範囲】
【請求項１】
インターネット電話装置をＩＰアドレス及びポート番号からなるネット番号でインターネット電話を管理するインターネット電話システム
【請求項２】
インターネット電話装置をネット番号で識別し、個々のインターネット電話装置にユニークな装置番号を保有させ、この装置番号とネット番号とを対応づけインターネット電話を管理するインターネット電話システム
【請求項３】
ネット番号又は装置番号と任意のユニークな複数の電話番号とを対応づけインターネット電話を管理するインターネット電話システム
【請求項４】
インターネットに接続された利用者の接続装置を設定し、これにインターネット電話装置及び電話機を接続すれば、特別な手続きなしで、相手のネット番号をダイヤルすることにより発信し相手と接続され通話ができ、相手が利用者のネット番号をダイヤルすることにより着信し相手と接続され通話ができるインターネット電話装置
【請求項５】
インターネットに接続された利用者の接続装置を設定し、これにインターネット電話装置及び電話機を接続し、インターネットからみた利用者のインターネット電話装置のネット番号が新たに付与された場合又は変更された場合に、インターネット電話装置がこれを検出し、インターネット番号管理サーバーに利用者のインターネット電話装置の装置番号を送信し、インターネット番号管理サーバーに利用者のインターネット電話装置のネット番号を新規に認識させ、相手の装置番号をダイヤルすることにより発信し相手と接続され通話ができ、相手が利用者の装置番号をダイヤルすることにより着信し相手と接続され通話ができるインタ
ページ（２）
ーネット電話装置
【発明の詳細な説明】
【０００１】
【発明の属する技術分野】
この発明は、インターネットを利用した電話及びその方式に関する。
【０００２】
【従来の技術】
従来のインターネット電話及びインターネット電話システムは、インターネットプロバイダー等が提供しており、利用開始するまでに特別な手続きが必要である。
【０００３】
【発明が解決しようとする課題】
しかしながら、以上の従来技術によれば、新規にインターネット電話を設置した場合に即利用できない、又、別の場所に移動させた場合に即利用できなかった。
そこで、この発明は、利用者が新規にインターネット電話を設置したり、別の場所にインターネット電話を移動させた場合にも即インターネット電話サービスを提供することを課題とする。
【０００４】
【課題を解決するための手段】
以上の課題を解決するために、請求項１の発明は、インターネット電話装置をＩＰアドレス及びポート番号からなるネット番号でインターネット電話を管理するインターネット電話システムである。
また、請求項２の発明は、インターネット電話装置をＩＰアドレス及びポート番号で識別し、個々のインターネット電話装置にユニークな装置番号を保有させ、この装置番号とネット番号とを対応づけインターネット電話を管理するインターネット電話システムである。
また、請求項３の発明は、ネット番号又は装置番号と任意のユニークな複数の
ページ（３）
電話番号とを対応づけインターネット電話を管理するインターネット電話システムである。
また、請求項４の発明は、インターネットに接続された利用者の接続装置を設定し、これにインターネット電話装置及び電話機を接続すれば、特別な手続きなしで、相手のネット番号をダイヤルすることにより発信し相手と接続され通話ができ、相手が利用者のネット番号をダイヤルすることにより着信し相手と接続され通話ができるインターネット電話装置である。
また、請求項５の発明は、インターネットに接続された利用者の接続装置を設定し、これにインターネット電話装置及び電話機を接続し、インターネットからみた利用者のインターネット電話装置のネット番号が新たに付与された場合又は変更された場合に、インターネット電話装置がこれを検出し、インターネット番号管理サーバーに利用者のインターネット電話装置の装置番号を送信し、インターネット番号管理サーバーに利用者のインターネット電話装置のネット番号を新規に認識させ、相手の装置番号をダイヤルすることにより発信し相手と接続され通話ができ、相手が利用者の装置番号をダイヤルすることにより着信し相手と接続され通話ができるインターネット電話装置である。
【０００５】
【発明の実施の形態】
この発明の一実施形態を、図１に示す。
インターネット電話装置は、インターネットに接続されているルータ、モデム、ハブ等の接続装置と接続するための接続口、番号の中継機能、呼出し信号中継機能、通話中継機能及び電話機と接続するための接続口を有し、インターネットにおけるＩＰ電話と同様な処理を行わせるほかに、以下の処理を行わせる。
プライベートアドレスをＰＩＰ（ｎＡ２）に設定したインターネット電話装置ｎＡ２をグローバルアドレスＧＩＰ（ｎＣ）の接続装置ｎＣに接続する場合、接続装置ｎＣにおいてポートＰｏｒｔ（ｎＡ２）をプライベートアドレスＰＩＰ（ｎＡ２）に対して解放する。インターネット電話装置ｎＡ２に電話機ｎＢ２を接続する。この段階で電話機ｎＢ２と既に接続された電話機１Ｂ１とのネット番号
ページ（４）
による呼出し通話が可能となる。電話機からネット番号をダイヤルした場合、インターネット電話装置は、ダイヤルされた番号がネット番号であることを認識し、ネット番号からＩＰアドレス及びポート番号を割り出し、インターネット電話装置１Ａ１とインターネット電話装置ｎＡ２が直接通信を行い、呼出し、着信及び通話処理を行う。
次に、インターネット電話装置ｎＡ２は、インターネット電話装置ｎＡ２に登録されているグローバルアドレスＧＩＰ（Ｓ）のインターネット番号管理サーバーＳに接続し、インターネット電話装置ｎＡ２の装置番号ＨＮ（ｎＡ２）を登録する。この接続によりインターネット番号管理サーバーＳは、接続装置ｎＣのグローバルアドレスＧＩＰ（ｎＣ）を取得するとともに、インターネット電話装置ｎＡ２用に解放された接続装置ｎＣのポートを定めた順に探索してポートＰｏｒｔ（ｎＡ２）を割り出し、インターネット電話装置ｎＡ２のネット番号ＮＮ（ｎＡ２）（接続装置ｎＣのグローバルアドレスＧＩＰ（ｎＣ）及びポートＰｏｒｔ（ｎＡ２））と装置番号ＨＮ（ｎＡ２）とを関連づけ管理する。同時に、インターネット番号管理サーバーＳは、インターネット電話装置ｎＡ２に接続装置ｎＣのグローバルアドレスＧＩＰ（ｎＣ）及びポートＰｏｒｔ（ｎＡ２）を送信する。インターネット電話装置ｎＡ２は、グローバルアドレスＧＩＰ（ｎＣ）及びポートＰｏｒｔ（ｎＡ２）を表示し利用者に通知する。その後、インターネット電話装置ｎＡ２は、グローバルアドレスＧＩＰ（ｎＣ）及びポートＰｏｒｔ（ｎＡ２）が有効かどうかを常時監視するために、インターネット電話装置ｎＡ２からインターネット折り返しテスト、インターネット電話装置ｎＡ２とインターネット番号管理サーバーＳが指定したインターネット電話装置間でのテストデータの送受信、インターネット電話装置ｎＡ２とインターネット番号管理サーバーＳ間でのテストデータの送受信を定期的に行う。異常を検出した場合、インターネット電話装置ｎＡ２は、装置番号ＨＮ（ｎＡ２）をインターネット番号管理サーバーＳに再登録し、以下、同様の手続きを再度行う。この段階で電話機ｎＢ２と既に接続された電話機１Ｂ１との装置番号による呼出し通話が可能となる。電話機から装置番号をダイヤルした場合、インターネット電話装置は、ダイヤルさ
ページ（５）
れた番号が装置番号であることを認識し、インターネット番号管理サーバーＳに装置番号に関連づけられたネット番号を問い合わせ、ネット番号からＩＰアドレス及びポート番号を割り出し、インターネット電話装置１Ａ１とインターネット電話装置ｎＡ２が直接通信が可能となり、呼出し、着信及び通話処理を行う。
次に、インターネット番号管理サーバーＳにインターネット電話装置ｎＡ２の電話番号ＴＮ（ｎＡ２）（１）、・・・、電話番号ＴＮ（ｎＡ２）（ｍ）のｍ個を登録し、ネット番号ＮＮ（ｎＡ２）又は装置番号ＨＮ（ｎＡ２）を関連づけ管理する。この段階で既に接続された電話機１Ｂ１から電話機ｎＢ２へ電話番号による呼出し通話が可能となる。電話機１Ｂ１から電話番号ＴＮ（ｎＡ２）（ｍ）をダイヤルした場合、インターネット電話装置は、ダイヤルされた番号が電話番号であることを認識し、インターネット番号管理サーバーＳに電話番号ＴＮ（ｎＡ２）（ｍ）に関連づけられたネット番号を問い合わせ、ネット番号ＮＮ（ｎＡ２）からグローバルアドレスＧＩＰ（ｎＣ）及びポートＰｏｒｔ（ｎＡ２）を割り出し、インターネット電話装置１Ａ１とインターネット電話装置ｎＡ２が直接通信が可能となり、呼出し、着信及び通話処理を行う。
また、この発明により電話番号、ネット番号又は装置番号を管理し、呼出し、着信及び通話処理などの呼制御及び通話伝達には、インターネットで利用されているＳＤＰ、ＳＩＰ、Ｈ．３２３、ＭＧＣＰ、ＲＴＰなどの一部を利用する。
【０００６】
「他の実施形態」
インターネット電話装置の機能をルータ、モデム、ハブ等の接続装置、電話機携帯端末、携帯電話やパソコンに組み込むことができる。
インターネット番号管理サーバーＳを複数設置し、セキュリティ対策及び負荷分散を行う。
インターネットに直接接続したインターネット電話装置２Ａ１、・・・、２Ａｎは、ポート番号を省いた管理ができる。
電話番号、ネット番号及び装置番号には、＊、＃及び数字を用い、インターネット電話装置に一般加入電話との自動切替機能を持たせ、電話機からのダイヤル
ページ（６）
を解析しインターネット電話網又は一般加入電話網に接続する。
インターネット電話装置と接続装置間に無線ＬＡＮを利用した場合にも同様に動作させることができる。
間違い電話、いたずら電話や不正アクセスに対処するために、通信開始前に暗号化した装置番号を交換し許可・不許可を確認する。同時に相手の装置番号を表示又は装置番号を文字に変換し文字を表示する。
【０００７】
【発明の効果】
以上説明したように、この発明によれば、利用者が新規にインターネット電話を設置したり、別の場所にインターネット電話を移動させた場合にも即インターネット電話サービスを受けることができる。
【０００８】
また、限られたグローバルＩＰアドレスの割り当てられているプライベートネットワーク内においても特別な手続きなしで多数のインターネット電話を管理することができる。
【０００９】
【図面の簡単な説明】
【図１】この発明の一実施形態を示す構成図である。
【符号の説明】
１Ａ１  インターネット電話装置
２Ａ１  インターネット電話装置
２Ａｎ  インターネット電話装置
ｎＡ１  インターネット電話装置
ｎＡ２  インターネット電話装置
１Ｂ１  電話機
ｎＢ２  電話機
１Ｂ１  電話機
ページ（７）
１Ｃ    接続装置
１Ｃ    接続装置
Ｓ      インターネット番号管理サーバー
【図１】
2004336281.tif 000003